(57)【要約】【課題】検知方向が２つ存在し、それらが互いに入れ替わっている２つの状況を１種類の製品で共通に利用できる仕様とした人感センサユニット付きの照明装置を提供する。【解決手段】光源ユニット１０の光出射方向との関係で、正方向に出射する光の照射範囲に対して、一方の人感センサユニットの２つの検出視野或いは２つの人感センサユニットの各一の検出視野が対応付けられており、逆方向に出射する光の照射範囲に対して他方の人感センサユニットの２つの検出視野或いは２つの人感センサユニットの正方向の光照射範囲に対応付けられていない残りの２つの検出視野が対応付けられている。【選択図】図１
2015018760.tif 000002
【特許請求の範囲】
【請求項１】
長手方向と直交する面内において少なくとも正逆２方向に光出射する長尺な光源ユニットと、
前記光源ユニットの前記長手方向における一方の側に設けられた第１の人感センサユニットと、他方の側に設けられた第２の人感センサユニットと、を備え、
前記第１及び第２の人感センサユニットは、それぞれの検出視野として２つを備え、一方の検出視野の中心線と他方の検出視野の中心線とは互いに非平行な角度を持つように設定されており、
さらに、前記第１の人感センサユニットと前記第２の人感センサユニットは、長手方向と直交する面内において、互いに相反する方向を向いた状態で光源ユニットに対して取り付けられているとともに、光源ユニットの光出射方向との関係で、正方向に出射する光の照射範囲に対して、一方の人感センサユニットの２つの検出視野或いは２つの人感センサユニットの各一の検出視野が対応付けられており、逆方向に出射する光の照射範囲に対して他方の人感センサユニットの２つの検出視野或いは２つの人感センサユニットの正方向の光照射範囲に対応付けられていない残りの２つの検出視野が対応付けられている
ことを特徴とする照明装置。
【請求項２】
前記光源ユニットは、前記正逆２方向にそれぞれ光出射する第１光源と第２光源とを有し、
前記第１及び第２の人感センサユニットは、それぞれ、１つの人感センサと、前記人感センサユニットの前記検出視野を異なる２方向に振り向ける屈折光学ミラーと、を備え、
前記正逆方向と前記人感センサの正面方向とは互いに平行であり、
前記正方向に光出射する前記第１光源の照射範囲に、前記第１及び第２の人感センサユニットの一方の前記２つの検出視野が対応付けられており、
前記逆方向に光出射する前記第２光源の照射範囲に、前記第１及び第２の人感センサユニットの他方の前記２つの検出視野が対応付けられている
ことを特徴とする請求項１に記載の照明装置。
【請求項３】
前記光源ユニットは、前記正逆２方向にそれぞれ光出射する前記第１光源と前記第２光源とを有し、
前記第１及び第２の人感センサユニットは、それぞれ、前記１つの人感センサと、前記人感センサユニットの前記検出視野を２方向に振り向ける前記屈折光学ミラーと、を備え、
前記正逆方向と前記人感センサの前記正面方向とは互いに直交であり、
前記正方向に光出射する前記第１光源の照射範囲に、前記第１及び第２の人感センサユニットの前記各一の検出視野が対応付けられており、
前記逆方向に光出射する前記第２光源の照射範囲に、前記第１及び第２の人感センサユニットの前記正方向の光照射範囲に対応付けられていない残りの前記２つの検出視野が対応付けられている
ことを特徴とする請求項１に記載の照明装置。
【請求項４】
前記第１及び第２の人感センサユニットは、赤外線センサユニットであり、さらに、前記屈折光学ミラーの両側に前記２つの検出視野から入射する赤外線をそれぞれ集光して前記屈折光学ミラーに入射させる一対のレンズを有する
ことを特徴とする請求項２または３に記載の照明装置。
【請求項５】
前記第１の人感センサユニットは、第１の人感センサを有し、
前記第２の人感センサユニットは、前記第１の人感センサとは反対向きに設けられた第２の人感センサを有し、
前記光源ユニットは、前記第１の人感センサが建物の床面に向く第１の姿勢と、前記第２の人感センサが前記建物の床面に向く第２の姿勢とで選択的に前記建物の壁に取り付け可能であり、
前記光源ユニットが前記第１の姿勢で取り付けられた場合と前記第２の姿勢で取り付けられた場合とで、前記第１の人感センサの前記建物の壁で遮蔽されずに人を検知できる範囲が異なるとともに、前記第２の人感センサの前記建物の壁で遮蔽されずに人を検知できる範囲が異なることにより、前記第１及び第２の人感センサユニットがそれぞれ実質的に２つの検出視野を備えている
ことを特徴とする請求項１に記載の照明装置。
【請求項６】
前記第１の人感センサユニットは、第１及び第２の人感センサを有し、前記第１の人感センサは、前記第１の人感センサユニットの前記２つの検出視野の一方の中心線を向けて配されており、且つ、前記第２の人感センサは、前記第１の人感センサユニットの前記２つの検出視野の他方の中心線を向けて配されており、
前記第２の人感センサユニットは、第３及び第４の人感センサを有し、前記第３の人感センサは、前記第２の人感センサユニットの前記２つの検出視野の一方の中心線を向けて配されており、且つ、前記第４の人感センサは、前記第２の人感センサユニットの前記２つの検出視野の他方の中心線を向けて配されている
ことを特徴とする請求項１に記載の照明装置。
【発明の詳細な説明】
【技術分野】
【０００１】
本発明は、人感センサユニット付きの照明装置に関するものである。
【背景技術】
【０００２】
従来、光源ユニットと人の存否を検知する人感センサユニットとを備えた照明装置が提案されている。特許文献１及び２に記載された照明装置は、壁や天井等に取り付けられる直管型ランプの代替品として用いられている。これらの照明装置の光源ユニットは、長尺状である。そして、人感センサユニットは、光源ユニットの長手方向における一端側に配置されている。また、特許文献３に記載された照明装置では、光源ユニットの長手方向における両端側に人感センサユニットが配置されている。
【０００３】
これらの照明装置は、廊下、階段の壁や天井等に設置され、そこを通る人の存否に応じて点灯或いは消灯するので、無駄な点灯を抑制でき省電力化を図ることができる。
【先行技術文献】
【特許文献】
【０００４】
【特許文献１】特開２０１２−８４３２８号公報
【特許文献２】特開２０１１−８１９８３号公報
【特許文献３】特開２０１０−１１４０５５号公報
【発明の概要】
【発明が解決しようとする課題】
【０００５】
ところが、特許文献１及び２に記載された照明装置は、１つの人感センサユニットしか備えていないため、照明装置全体としての検知範囲は限られている。また、特許文献３に記載された照明装置では、光源ユニットの長手方向の両端側に人感センサユニットがそれぞれ設置されているので、検知範囲が長手方向には拡張されている。しかし、特許文献３の人感センサユニットは、いずれも検知方向が正面方向となる向きに設けられている。そのため、例えば建物の踊り場に設けられた場合、各人感センサユニットの検知範囲が上り階段及び下り階段を上下する方向に沿っていないので、人感センサとしての機能を果たすことができない。そこで、仮に、階段を上下する方向に合わせて、特許文献３の人感センサユニットの一方を斜め上方向に、他方を斜め下方向に向けて固定したとする。この場合、この特許文献３の人感センサユニットは、検知範囲と階段の方向とが整合して人感センサとしての機能を果たすことができる。
【０００６】
しかし、建物によっては踊り場から上り階段及び下り階段を見た場合、右側が上り階段であり左側が下り階段となっている建物Ａと、右側が下り階段であり左側が上り階段となっている建物Ｂとがある。このような建物Ａ及びＢに、人感センサユニットの一方を斜め上方向に、他方を斜め下方向に向けて固定した特許文献３の照明装置を設置した場合、建物Ａ及びＢの一方に対しては人感センサとしての機能を果たすことができる。しかしながら、建物Ａ及びＢの他方に対しては検知範囲と階段の方向とが整合せず、人感センサとしての機能を果たすことができない。つまり、特許文献３の照明装置で建物Ａ及びＢの両方に適用できるようにするには、それぞれの仕様を満足するような専用品を２種類用意するしかなく、製品のラインナップが増えて、製造効率が悪い。
【０００７】
このように検知方向が２つ存在し、しかもそれらが互いに入れ替わっているような２つの状況を１種類の製品で共通に利用することが、従来の人感センサユニット付きの照明装置では実現できなかった。
そこで、本発明は、上記事由に鑑みてなされたものであり、上記の２つの状況において１種類の製品で共通に利用できる仕様とした照明装置を提供することを目的とする。
【課題を解決するための手段】
【０００８】
上記目的を達成するために、本発明の一態様に係る照明装置は、長手方向と直交する面内において少なくとも正逆２方向に光出射する長尺な光源ユニットと、前記光源ユニットの前記長手方向における一方の側に設けられた第１の人感センサユニットと、他方の側に設けられた第２の人感センサユニットと、を備え、前記第１及び第２の人感センサユニットは、それぞれの検出視野として２つを備え、一方の検出視野の中心線と他方の検出視野の中心線とは互いに非平行な角度を持つように設定されており、さらに、前記第１の人感センサユニットと前記第２の人感センサユニットは、長手方向と直交する面内において、互いに相反する方向を向いた状態で光源ユニットに対して取り付けられているとともに、光源ユニットの光出射方向との関係で、正方向に出射する光の照射範囲に対して、一方の人感センサユニットの２つの検出視野或いは２つの人感センサユニットの各一の検出視野が対応付けられており、逆方向に出射する光の照射範囲に対して他方の人感センサユニットの２つの検出視野或いは２つの人感センサユニットの正方向の光照射範囲に対応付けられていない残りの２つの検出視野が対応付けられていることを特徴とする。
【０００９】
また、前記光源ユニットは、前記正逆２方向にそれぞれ光出射する第１光源と第２光源とを有し、前記第１及び第２の人感センサユニットは、それぞれ、１つの人感センサと、前記人感センサユニットの前記検出視野を異なる２方向に振り向ける屈折光学ミラーと、を備え、前記正逆方向と前記人感センサの正面方向とは互いに平行であり、前記正方向に光出射する前記第１光源の照射範囲に、前記第１及び第２の人感センサユニットの一方の前記２つの検出視野が対応付けられており、前記逆方向に光出射する前記第２光源の照射範囲に、前記第１及び第２の人感センサユニットの他方の前記２つの検出視野が対応付けられていることとしてもよい。
【００１０】
また、前記光源ユニットは、前記正逆２方向にそれぞれ光出射する前記第１光源と前記第２光源とを有し、前記第１及び第２の人感センサユニットは、それぞれ、前記１つの人感センサと、前記人感センサユニットの前記検出視野を２方向に振り向ける前記屈折光学ミラーと、を備え、前記正逆方向と前記人感センサの前記正面方向とは互いに直交であり、前記正方向に光出射する前記第１光源の照射範囲に、前記第１及び第２の人感センサユニットの前記各一の検出視野が対応付けられており、前記逆方向に光出射する前記第２光源の照射範囲に、前記第１及び第２の人感センサユニットの前記正方向の光照射範囲に対応付けられていない残りの前記２つの検出視野が対応付けられていることとしてもよい。
【００１１】
また、前記第１及び第２の人感センサユニットは、赤外線センサユニットであり、さらに、前記屈折光学ミラーの両側に前記２つの検出視野から入射する赤外線をそれぞれ集光して前記屈折光学ミラーに入射させる一対のレンズを有することとしてもよい。
また、前記第１の人感センサユニットは、第１の人感センサを有し、前記第２の人感センサユニットは、前記第１の人感センサとは反対向きに設けられた第２の人感センサを有し、前記光源ユニットは、前記第１の人感センサが建物の床面に向く第１の姿勢と、前記第２の人感センサが前記建物の床面に向く第２の姿勢とで選択的に前記建物の壁に取り付け可能であり、前記光源ユニットが前記第１の姿勢で取り付けられた場合と前記第２の姿勢で取り付けられた場合とで、前記第１の人感センサの前記建物の壁で遮蔽されずに人を検知できる範囲が異なるとともに、前記第２の人感センサの前記建物の壁で遮蔽されずに人を検知できる範囲が異なることにより、前記第１及び第２の人感センサユニットがそれぞれ実質的に２つの検出視野を備えていることとしてもよい。
【００１２】
また、前記第１の人感センサユニットは、第１及び第２の人感センサを有し、前記第１の人感センサは、前記第１の人感センサユニットの前記２つの検出視野の一方の中心線を向けて配されており、且つ、前記第２の人感センサは、前記第１の人感センサユニットの前記２つの検出視野の他方の中心線を向けて配されており、前記第２の人感センサユニットは、第３及び第４の人感センサを有し、前記第３の人感センサは、前記第２の人感センサユニットの前記２つの検出視野の一方の中心線を向けて配されており、且つ、前記第４の人感センサは、前記第２の人感センサユニットの前記２つの検出視野の他方の中心線を向けて配されていることとしてもよい。
【発明の効果】
【００１３】
本発明の一態様に係る照明装置では、長手方向と直交する面内において少なくとも正逆２方向に光出射する光源ユニットを有している。また、第２の人感センサユニットは、長手方向と直交する面内において、第１の人感センサユニットを反対方向に向けて設置した構成となっている。よって、課題の欄に記載した、２つの状況のいずれの場合でも、本発明の一態様に係る照明装置をそのまま設置するか、或いは、照明装置を光源ユニットの長手方向を軸として１８０°回転させて設置するかすればよい。即ち、いずれの状況においても照明装置の設置の仕方のみで対応が可能であり、製品としては１種類のみで済む。
【００１４】
従って、本発明の一態様に係る照明装置は、上記の２つの状況において１種類の製品で共通に利用できる仕様を満たすことができる。
【図面の簡単な説明】
【００１５】
【図１】（ａ）は、実施の形態１に係る照明装置１の斜視図であり、（ｂ）は、実施の形態１に係る照明装置１の要部断面図である。
【図２】実施の形態１に係る照明装置１の回路構成を簡略化して示すブロック図である。
【図３】（ａ）は、実施の形態１に係る照明装置１の第１の人感センサユニット２０の断面図であり、（ｂ）は、実施の形態１に係る照明装置１の第２の人感センサユニット３０の断面図である。
【図４】（ａ）は、実施の形態１に係る照明装置１の使用例を示す図であり、（ｂ）は、実施の形態１に係る照明装置１の別の使用例を示す図である。
【図５】（ａ）は、実施の形態２に係る照明装置１０１の斜視図であり、（ｂ）は、実施の形態２に係る照明装置１０１の要部断面図である。
【図６】（ａ）は、実施の形態２の変形例の構成を示す斜視図であり、（ｂ）は、実施の形態２の変形例の構成の断面図である。
【図７】（ａ）は、変形例１に係る照明装置の第１の人感センサユニット１２０の断面図であり、（ｂ）は、変形例１に係る照明装置の第２の人感センサユニット１３０の断面図である。
【図８】（ａ）は、変形例２に係る照明装置の第１の人感センサユニット２２０の断面図であり、（ｂ）は、変形例２に係る照明装置の第２の人感センサユニット２３０の断面図である。
【図９】（ａ）は、変形例３に係る照明装置の第１の姿勢における第１の人感センサユニット３２０の断面図であり、（ｂ）は、変形例３に係る照明装置の第１の姿勢における第２の人感センサユニット３３０の断面図である。
【図１０】（ａ）は、変形例３に係る照明装置の第２の姿勢における第１の人感センサユニット３２０の断面図であり、（ｂ）は、変形例３に係る照明装置の第２の姿勢における第２の人感センサユニット３３０の断面図である。
【図１１】その他の変形例に係る点灯ユニットの制御回路の動作フローチャートである。
【発明を実施するための形態】
【００１６】
本発明を実施するための形態を、図面を参照して詳細に説明する。
＜実施の形態１＞
＜１＞構成
図１は、本実施の形態１に係る照明装置１を示す図であり、（ａ）は、斜視図、（ｂ）は、断面図である。
【００１７】
照明装置１は、光源ユニット１０と、第１の人感センサユニット２０と、第２の人感センサユニット３０と、口金ピン４０と、点灯ユニット５０とを備える。
［光源ユニット１０］
光源ユニット１０は、第１光源１１ａと、第２光源１１ｂ（図１（ｂ）参照）と、配線基板１２と、筒状体１４とを備える。
【００１８】
第１光源１１ａ及び第２光源１１ｂは、例えば、白色ＬＥＤ（Ｌｉｇｈｔ  Ｅｍｉｔｔｉｎｇ  Ｄｉｏｄｅ）である。ここではＳＭＤ（Ｓｕｒｆａｃｅ  Ｍｏｕｎｔ  Ｄｅｖｉｃｅ）タイプの白色ＬＥＤチップを用いている。
配線基板１２は、長尺矩形状である。第１光源１１ａは、配線基板１２の長手方向に沿って列状に配されている。第２光源１１ｂも、同様に、配線基板１２の長手方向に沿って列状に配されている。但し、図１（ｂ）に示すように、第１光源１１ａは配線基板１２の一面側に設けられ、第２光源１１ｂは配線基板１２の他面側に設けられている。この構成により、＋Ｚ方向を正方向、−Ｚ方向を逆方向としたときに、第１光源１１ａは正方向に、第２光源１１ｂは逆方向に光を出射することになる。また、図１（ｂ）に示すように、配線基板１２の一面側には受電端子１３ａが実装され、他面側には受電端子１３ｂが実装されている。受電端子１３ａ及び受電端子１３ｂは、それぞれ第１光源１１ａ及び第２光源１１ｂを点灯させるための電力を点灯ユニット５０から受け入れるための端子である。
【００１９】
筒状体１４は、透光性材料からなる円筒状のケースである。第１光源１１ａ、第２光源１１ｂ及び配線基板１２は、筒状体１４の内部に収容されている。
［第１の人感センサユニット２０］
第１の人感センサユニット２０は、光源ユニット１０の長手方向一端側に位置し、第１の人感センサ２１Ａと、回路基板２２と、ケース２３と、屈折光学ミラー２４と、一対のレンズ２５ａ及び２５ｂとを備える。
【００２０】
第１の人感センサ２１Ａは、人から発せられる赤外線を検知した場合に検知信号を外部に出力する赤外線センサである。第１の人感センサ２１Ａは、例えば、デュアルタイプ或いはクワッドタイプの焦電素子であり、第１の人感センサ２１Ａは、回路基板２２の一面側に設けられている。尚、図１（ｂ）に示すように、回路基板２２の他面側には受電端子２２ａ及び出力端子２２ｂが実装されている。受電端子２２ａは、第１の人感センサ２１Ａを駆動するための電力を点灯ユニット５０から受け入れるための端子である。出力端子２２ｂは、第１の人感センサ２１Ａの検知信号を点灯ユニット５０に出力するための端子である。
【００２１】
ケース２３は、円筒状であり、その周面に、光学部品（屈折光学ミラー２４と一対のレンズ２５ａ及び２５ｂの一体成形品）を受け入れるための開口部を有する。第１の人感センサ２１Ａ及び回路基板２２は、ケース２３の内部に収容されている。ケース２３の材料としては、例えば、ポリカーボネート（ＰＣ）等の樹脂材料を利用することができる。
屈折光学ミラー２４は、鏡面反射板であり、材料としては例えば、アルミニウム等の金属材料を利用することができる。そして、屈折光学ミラー２４の裏面（人感センサ２１Ａ側）における半分の領域には、図３（ａ）に詳細に示すように、５つの突条部２４１ａ〜２４５ａが形成されている。また、屈折光学ミラー２４の裏面における他の半分の領域には、突条部２４１ａ〜２４５ａとＺ軸に対して対称形状の３つの突条部２４１ｂ〜２４３ｂが形成されている。５つの突条部２４１ａ〜２４５ａと３つの突条部２４１ｂ〜２４３ｂは、図３（ａ）から理解されるように断面が鋸歯形状をしている。そして、突条部２４１ａ〜２４５ａと突条部２４１ｂ〜２４３ｂとは、鋸歯の緩斜面の向きが互いに逆に形成されている。
【００２２】
一対のレンズ２５ａ及び２５ｂは、フレネルレンズの一部を構成しており、外部から入射してくる赤外線を前記屈折光学ミラー２４の突条部２４１ａ〜２４５ａ及び突条部２４１ｂ〜２４３ｂに集光させる。レンズ２５ａには、５つの突条部２５１ａ〜２５５ａが形成され、レンズ２５ｂには、３つの突条部２５１ｂ〜２５３ｂが形成されている。レンズ２５ａ及び２５ｂの材料としては、例えば、ポリエチレン樹脂等を利用することができる。
［第２の人感センサユニット３０］
第２の人感センサユニット３０は、図３（ｂ）から理解されるように、第１の人感センサユニット２０を、照明装置１のランプ軸Ｊ（Ｘ軸）を軸として１８０°回転させたものに相当する。即ち、第１の人感センサユニット２０と第２の人感センサユニット３０とは、長手方向と直交する面内において、互いに相反する方向を向いている。第２の人感センサユニット３０は、第１の人感センサユニット２０と物自体は同一であるため、構成の説明は省略する。但し、第２の人感センサユニット３０は、第１の人感センサ２１Ａと同様な性能を持つ第２の人感センサ２１Ｂを有するとした。
【００２３】
尚、本実施の形態１では、光源ユニット１０の配線基板１２と、第１及び第２の人感センサユニットの回路基板２２とは互いに平行している（図１（ａ）及び（ｂ）参照）。換言すると、第１光源１１ａ及び第２光源１１ｂの光出射方向である正逆方向と、第１及び第２の人感センサユニット内の人感センサ２１Ａ及び２１Ｂの正面方向とは平行である。
［点灯ユニット５０］
図１（ｂ）に示したように、点灯ユニット５０は、回路基板５１と、回路基板５１上に実装された電子部品５２等とからなる。給電端子５３ａは、第１光源１１ａの受電端子１３ａに給電線５４ａを介して電気的に接続されている。給電端子５３ｂは、第１光源１１ｂの受電端子１３ｂに給電線５４ｂを介して電気的に接続されている。給電端子５５は、第１の人感センサユニット２０の受電端子２２ａに電気的に接続されている。受電端子５６は、口金ピン４０に電気的に接続されている。入力端子５７は、第１の人感センサユニット２０の出力端子２２ｂに電気的に接続されている。
【００２４】
ここで、照明装置１の回路構成のブロック図を図２に示す。点灯ユニット５０は、電源回路５０Ａと、点灯回路５０Ｂと、制御回路５０Ｃとを備える。
点灯回路５０Ｂは、電源回路５０Ａから供給される直流を昇降圧して第１光源１１ａと第２光源１１ｂに供給する。
制御回路５０Ｃは、第１の人感センサユニット２０及び第２の人感センサユニット３０から入力される検知信号に基づいて点灯回路５０Ｂに供給する電流を制御する。また、制御回路５０Ｃは、第１の人感センサユニット２０及び第２の人感センサユニット３０のそれぞれに電力を供給している。ここで制御回路５０Ｃは、第１の人感センサユニット２０及び第２の人感センサユニット３０の少なくとも一方から人を検知したことを示す検知信号を受信した場合に、点灯回路５０Ｂを制御して第１光源１１ａと第２光源１１ｂの両方を点灯させる。制御回路５０Ｃは、第１の人感センサユニット２０と第２の人感センサユニット３０のどちらからも人を検知したことを示す検知信号を受信しない場合、点灯回路５０Ｂを制御して第１光源１１ａと第２光源１１ｂの両方を消灯させる。図示はしていないが、点灯回路５０Ｂと制御回路５０Ｃとは同一の回路基板５１上に実装されている。
＜２＞人感センサユニット内の検出エリア
図３（ａ）に基づいて、外部から入射してくる赤外線の光線の軌跡を説明する。第１方向Ｄ１を中心線とした第１検出視野θ１から入射した赤外線ＩＲ１の一部を赤外線ＩＲ１１とする。赤外線ＩＲ１１は、まず、レンズ２５ａの一部である突条部２５１ａに入射して、屈折光学ミラー２４の方向に出射する。赤外線ＩＲ１１は、その後、屈折光学ミラー２４の突条部２４１ａに達し、突条部２４１ａで正反射されて第１の人感センサ２１Ａのほぼ正面方向に入射する。次に、第２方向Ｄ２を中心線とした第２検出視野θ２から入射した赤外線ＩＲ２の一部をＩＲ２１とする。ＩＲ２１も同様に、突条部２５１ｂで屈折光学ミラー２４の方向に出射し、屈折光学ミラー２４の突条部２４１ｂで正反射されて第１の人感センサ２１Ａのほぼ正面方向に入射する。第１検出視野θ１と第２検出視野θ２から入射する他の赤外線も同様にして、第１の人感センサ２１Ａの正面方向に近い方向で検知される。尚、第１方向Ｄ１と第２方向Ｄ２とは非平行である。よって、光源ユニット１０の光出射方向との関係で、逆方向（−Ｚ方向）に出射する第２光源１１ｂの光の照射範囲に対して、第１の人感センサユニット２０の２つの検出視野θ１及びθ２が対応付けられている。
【００２５】
図３（ｂ）は、第２の人感センサユニット３０に外部から入射してくる赤外線の光線の軌跡を示したものであるが、図３（ａ）の説明と同様のため、詳細な説明は省略する。図３（ｂ）では、第３方向Ｄ３を中心線とした第３検出視野θ３から入射した赤外線ＩＲ３と、第４方向Ｄ４を中心線とした第４検出視野θ４から入射した赤外線ＩＲ４とを示している。よって、光源ユニット１０の光出射方向との関係で、正方向（＋Ｚ方向）に出射する第１光源１１ａの光の照射範囲に対して、第２の人感センサユニット３０の２つの検出視野θ３及びθ４が対応付けられている。
＜３＞照明装置１の使用例について
図４（ａ）及び（ｂ）に、照明装置１が建物に設置された状態を説明するための図を示す。
【００２６】
この建物には、１階ＦＬ１と２階ＦＬ２とを連絡する第１階段ＳＴ１、第２階段ＳＴ２と、第１階段ＳＴ１、第２階段ＳＴ２の間に位置する踊り場ＬＡとがある。照明装置１は、建物の踊り場ＬＡの壁ＷＡに、その長手方向が踊り場ＬＡの床面に平行となるように設置されている。図４（ａ）は、踊り場ＬＡ側から見て右側の第１階段ＳＴ１が上り階段であり、左側の第２階段ＳＴ２が下り階段である建物の例を示している。逆に、図４（ｂ）は、踊り場ＬＡから見て右側の第１階段ＳＴ１が下り階段であり、左側の第２階段ＳＴ２が上り階段である例を示している。
【００２７】
図４（ａ）の照明装置１は、第１の人感センサユニット２０及び第２の人感センサユニット３０の回路基板２２と光源ユニット１０の配線基板１２とが、踊り場の床面ＬＡに平行な状態で壁ＷＡに設置されている。そして、第１の人感センサユニット２０では、人感センサ２１Ａと屈折光学ミラー２４が回路基板２２よりも上方に、第２の人感センサユニット３０では、人感センサ２１Ｂと屈折光学ミラー２４が回路基板２２よりも下方に設置されている。これにより、第１の人感センサユニット２０の検知範囲ＤＲ１は、ランプ軸Ｊから見て斜め下方向、即ち、下り階段ＳＴ２に沿った方向となる。一方、第２の人感センサユニット３０の検知範囲ＤＲ２は、ランプ軸Ｊから見て斜め上方向、即ち、上り階段ＳＴ１に沿った方向となる。
【００２８】
図４（ａ）の照明装置１を図４（ｂ）の建物にそのままの状態で適用してしまうと、第１の人感センサユニット２０及び第２の人感センサユニット３０の検知範囲と、上り階段と下り階段とが対応しないので、正しく検知できない。しかしながら、この場合、図４（ａ）の照明装置１を、ランプ軸Ｊを軸方向として１８０°回転させて図４（ｂ）の建物の壁ＷＡに設置すればよい。このようにすれば図４（ｂ）に示すように、第１の人感センサユニット２０の検知範囲ＤＲ１はランプ軸Ｊから見て斜め上方向、即ち、上り階段ＳＴ２に沿った方向となる。一方、第２の人感センサユニット３０の検知範囲ＤＲ２は、ランプ軸Ｊから見て斜め下方向、即ち、下り階段ＳＴ１に沿った方向となる。
＜４＞照明装置１の効果
本発明の一態様に係る照明装置は、長手方向と直交する面内において少なくとも正逆２方向に光出射する長尺な光源ユニット１０と、光源ユニット１０の長手方向における一方の側に設けられた第１の人感センサユニット２０と、他方の側に設けられた第２の人感センサユニット３０とを備える。
【００２９】
第１及び第２の人感センサユニットは、それぞれの検出視野として２つを備え、一方の検出視野の中心線と他方の検出視野の中心線とは互いに非平行な角度を持つように設定されている。
さらに、第１の人感センサユニット２０と第２の人感センサユニット３０は、長手方向と直交する面内において、互いに相反する方向を向いた状態で光源ユニット１０に対して取り付けられている。そして、光源ユニット１０の光出射方向との関係で、正方向に出射する光の照射範囲に対して、一方の人感センサユニットの２つの検出視野或いは２つの人感センサユニットの各一の検出視野が対応付けられている。尚且つ、逆方向に出射する光の照射範囲に対して他方の人感センサユニットの２つの検出視野或いは２つの人感センサユニットの正方向の光照射範囲に対応付けられていない残りの２つの検出視野が対応付けられている。
【００３０】
上述したように、本実施の形態１に係る照明装置１は、踊り場から見たときの上り階段、下り階段の左右が互いに逆になっているいずれの建物に対しても、それぞれの専用品を２種類用意することなく、１種類の製品のみで適用が可能である。
また、照明装置１における第１の人感センサユニット２０及び第２の人感センサユニット３０では、人から発せられた赤外線が、一対のレンズ２５ａ及び２５ｂで集光され、屈折光学ミラー２４で第１の人感センサ２１Ａ及び第２の人感センサ２１Ｂの正面方向に近い方向に反射される。人感センサは、その正面方向だけでなく、ある角度範囲の赤外線を検知可能であるが、正面方向に近い程、感度が高まる。よって、照明装置１における第１の人感センサユニット２０及び第２の人感センサユニット３０は、赤外線ＩＲ１〜ＩＲ４をより高い感度で検出可能であるという効果を奏する。
＜５＞実施の形態１の変形例
（１）実施の形態１では、光源ユニット１０の配線基板１２と、第１及び第２の人感センサユニットの回路基板２２とは互いに平行であるとしたが、これに限られない。第１光源１１ａの光出射方向である正方向が、第２の人感センサユニット３０の第３検出視野θ３の中心線Ｄ３と第４検出視野θ４の中心線Ｄ４との間に入る程度に、配線基板１２が回路基板２２に対して傾斜していてもよい。この場合、第２光源１１ｂの光出射方向である逆方向は、第１の人感センサユニット２０の第１検出視野θ１の中心線Ｄ１と第２検出視野θ２の中心線Ｄ２との間に入ることになる。
（２）実施の形態１では、一対のレンズ２５ａ及び２５ｂは、フレネルレンズの一部としたが、微小な凸レンズまたはプリズムが集合したものであってもよい。また、一対のレンズ２５ａ及び２５ｂは、より集光させるためには設けた方が好ましいが、単なる窓でもよい。一対のレンズ２５ａ及び２５ｂがなくとも、屈折光学ミラー２４だけの構成でも第１の人感センサ２１Ａでの検知は可能である。
【００３１】
また、本実施の形態１では、屈折光学ミラー２４は、断面が鋸歯形状の鏡面反射板としたが、他の指向性を有する反射板や、表面に微小な凹凸を有する散乱性反射板であってもよい。
（３）実施の形態１では、第１の人感センサユニット２０と第２の人感センサユニット３０の両方が人を検知しない場合、第１光源１１ａと第２光源１１ｂの両方を消灯させることとしたが、消灯ではなく、点灯時よりも暗い点灯（段調光）をさせてもよい。このようにすれば、例えば、人が１階ＦＬ１や２階ＦＬ２の廊下を通行している場合、階段の存在を認識できるので安全上、好ましい。
（４）実施の形態１では、第１の人感センサユニット２０と第２の人感センサユニット３０の少なくとも一方が人を検知した場合、第１光源１１ａと第２光源１１ｂの両方を点灯させることとしたが、次のようにしてもよい。例えば図４（ａ）の場合において、人が２階ＦＬ２から下り階段ＳＴ１を降りてきている時は、第１光源１１ａのみを点灯させる。そして、人が踊り場ＬＡを通過して、下り階段ＳＴ２を降りてきている時は、第２光源１１ｂのみを点灯させる。即ち、人が存在している階段側を照らすことができる光源のみを点灯させる。このような制御回路を追加すれば、必要な所に必要な光源だけを点灯させることができるので、より省電力化が図れる。
＜実施の形態２＞
＜１＞構成
図５は、本実施の形態２に係る照明装置１０１を示す図であり、（ａ）は、斜視図、（ｂ）は、断面図である。
【００３２】
照明装置１０１は、実施の形態１と異なり、光源ユニット１１０の配線基板１１２と点灯ユニット５０の回路基板５１とが、第１の人感センサユニット２０及び第２の人感センサユニット３０の回路基板２２と直交している（図５（ｂ）参照）。換言すると、第１光源１１１ａ及び第２光源１１１ｂの光出射方向である正逆方向と、第１及び第２の人感センサユニット内の人感センサ２１Ａ及び２１Ｂの正面方向とは直交している。この構成により、−Ｙ方向を正方向、＋Ｙ方向を逆方向としたときに、第１光源１１１ａは正方向に、第２光源１１１ｂは逆方向に光を出射することになる。この点を除いて、照明装置１０１の構成は、実施の形態１における照明装置１の構成と同じである。実施の形態１と同じである構成等については以下で説明を省略する。また、同じ構成部材については、同一の符号を用いた。
【００３３】
尚、本実施の形態２では、正方向（−Ｙ方向）に出射する第１光源１１１ａの光の照射範囲に対して、第１の人感センサユニット２０の２つの検出視野のうちの一方θ１と、第２の人感センサユニット３０の２つの検出視野のうちの一方θ３が対応付けられている。また、逆方向（＋Ｙ方向）に出射する第２光源１１１ｂの光の照射範囲に対して、第１の人感センサユニット２０の２つの検出視野のうちの他方θ２と、第２の人感センサユニット３０の２つの検出視野のうちの他方θ４が対応付けられている。
＜２＞照明装置１０１の使用例と効果について
照明装置１０１を図４のような階段の踊り場ＬＡに設置した場合、第１光源１１１ａと第２光源１１１ｂの一方は壁ＷＡ側を向く。例えば、第２光源１１１ｂが壁ＷＡ側を向くときは、第１光源１１１ａのみを点灯し、第２光源１１１ｂを消灯してもよい。第２光源１１１ｂは点灯しても階段側に出射されないので電力が無駄になるからである。
【００３４】
また、本実施の形態２の照明装置１０１では、図５（ａ）に示すように、壁ＷＡ側を向いている方の光源を消灯するための手動スイッチＳＷが設けられている。ＳＷが中心に位置しているときは、人を検知した場合、第１光源１１１ａと第２光源１１１ｂの両方が点灯するモードである。手動スイッチＳＷをＯＦＦ１側にシフトさせたときは、人を検知した場合、第１光源１１１ａのみが点灯し、第２光源１１１ｂが消灯するモードである。逆に、手動スイッチＳＷをＯＦＦ２側にシフトさせたときは、人を検知した場合、第２光源１１１ｂのみが点灯し、第１光源１１１ａが消灯するモードである。このようにすれば、照明装置１０１の設置時に、壁ＷＡ側を向いている方を手動で消灯させて省電力化が図れる。
【００３５】
尚、この手動スイッチＳＷで第１光源または第２光源の一方だけを選択的に点灯し、他方を消灯する制御方法は、本実施の形態２だけに限らず、実施の形態１や他の変形例に適用してもよい。
＜３＞実施の形態２の変形例
（１）実施の形態２では、光源ユニット１１０の配線基板１１２と、第１及び第２の人感センサユニットの回路基板２２とは互いに直交であるとしたが、これに限られない。第１光源１１１ａの光出射方向である正方向が、第１の人感センサユニット２０の第１検出視野θ１の中心線Ｄ１と第２の人感センサユニット３０の第３検出視野θ３の中心線Ｄ３との間に入る程度に、配線基板１２が回路基板２２に対して傾斜していてもよい。この場合、第２光源１１１ｂの光出射方向である逆方向は、第１の人感センサユニット２０の第２検出視野θ２の中心線Ｄ２と第２の人感センサユニット３０の第４検出視野θ４の中心線Ｄ４との間に入ることになる。
（２）図６は、本実施の形態２の変形例に係る照明装置２０１を図４のような階段の踊り場ＬＡに適用した場合の一例を示したものである。本変形例では、照明装置２０１の一部は、壁ＷＡに取り付けられた、断面が半円弧状の面４００ａを含む枠体４００の内部に固定されている。（ａ）は、斜視図、（ｂ）は、断面図である。
【００３６】
図６（ａ）及び（ｂ）に示したように、第１光源１１１ａは階段ＳＴ側を、第２光源１１１ｂは壁ＷＡ側を向いている。枠体４００は、樹脂製であり、その内表面４００ａには乳白色で光散乱性を有する塗料が塗布されている。照明装置２０１は、支柱４００ｂによって、枠体４００に固定されている。
本変形例によれば、第１光源１１１ａから出射される光線ＬＡ１〜ＬＡ３は階段ＳＴ側に出射されるのは勿論であるが、第２光源１１１ｂから出射される光線の一部も階段ＳＴ側に取り出すことができる。第２光源１１１ｂから主出射方向（＋Ｙ方向）に出射される光線ＬＢ１は階段ＳＴ側に取り出すことはできない。しかし、第２光源１１１ｂから主出射方向に対して斜めに出射される光線の一部、例えば、ＬＢ２、ＬＢ３は枠体４００の内表面４００ａで反射及び散乱されて階段ＳＴ側に取り出すことができる。
【００３７】
よって、本変形例に係る構成では、実施の形態２のように、壁ＷＡ側を向いている方の光源を必ずしも消灯する必要がなく、手動スイッチＳＷはなくてもよい。従って、第１光源１１１ａと第２光源１１１ｂの両方から出射される光を有効に使用することができる。
尚、枠体４００は樹脂製に限らず、アルミニウム等の金属製であってもよい。金属製の場合は、内表面４００ａがもともと反射特性を有するので、乳白色の塗料を塗布しなくてもよい。しかし、この場合は、内表面４００ａには光散乱性を生じるように、微細な凹凸等を設けた方が散乱性が高まって、より好ましい。
＜変形例１＞
実施の形態１及び２では、２つの方向からの赤外線を１つの人感センサで検知しているが、本発明は、これに限られない。例えば、２つの方向を検知するために、それぞれ１つずつ人感センサを設置してもよい。図７を用いて、変形例１に係る第１の人感センサユニット１２０と第２の人感センサユニット１３０を説明する。光源ユニットについては、実施の形態１の光源ユニット１０または実施の形態２の光源ユニット１１０と同一のため、説明を省略する。図７（ａ）は第１の人感センサユニット１２０の断面図である。図７（ｂ）は第２の人感センサユニット１３０の断面図である。
【００３８】
第１の人感センサユニット１２０は、第１の人感センサ１２１Ａ及び第２の人感センサ１２１Ｂと、回路基板１２２と、第１の人感センサ１２１Ａ及び第２の人感センサ１２１Ｂが載置された三角柱状の台座１２３と、ケース１２６とを備える。ケース１２６は、赤外線を透過する材質で構成される。第１の人感センサ１２１Ａは、第１方向Ｄ１を中心線とした第１検出視野θ１から入射した赤外線ＩＲ１を検知するために、第１方向Ｄ１に向けて配されている。第２の人感センサ１２１Ｂは、第２方向Ｄ２を中心線とした第２検出視野θ２から入射した赤外線ＩＲ２を検知するために、第２方向Ｄ２に向けて配されている。
【００３９】
第２の人感センサユニット１３０は、第１の人感センサユニット１２０をランプ軸Ｊを軸方向として１８０°回転させたものに相当する。第２の人感センサユニット１３０の第３の人感センサ１３１Ａは、第１の人感センサユニット１２０の第２の人感センサ１２１Ｂと同じものである。また、第２の人感センサユニット１３０の第４の人感センサ１３１Ｂは、第１の人感センサユニット１２０の第１の人感センサ１２１Ａと同じものである。
【００４０】
本変形例１に係る第１の人感センサユニット１２０と第２の人感センサユニット１３０は、レンズや屈折光学ミラー等の部材を用いずに、赤外線ＩＲ１〜ＩＲ４をより感度の高い人感センサの正面方向で検出可能であるという効果を奏する。
そして、２つの人感センサを用いた場合には、さらなる次の有用な効果が得られる。ここでは、実施の形態２のように、光源ユニットの配線基板と第１及び第２の人感センサユニットの回路基板１２２は直交しているとする。回路基板１２２は、建物の階段の踊り場ＬＡの床面に平行に設置されている。そして、図７（ａ）及び（ｂ）のようにランプ軸Ｊ方向（Ｘ軸方向）から見たときに、第１の人感センサ１２１Ａ及び第３の人感センサ１３１Ａが階段ＳＴ側を、第２の人感センサ１２１Ｂ及び第４の人感センサ１３１Ｂが壁ＷＡ側を向いて設置されたとする。このとき、第２の人感センサ１２１Ｂ及び第４の人感センサ１３１Ｂからは人を検知した信号が検出されることはない。この信号が検出されないときには、光源ユニット内でも同じく壁ＷＡ側を向いている第１光源または第２光源を消灯するようにプログラムされた制御回路を、制御回路５０Ｃに追加しておけばよい。これにより、実施の形態２のような手動スイッチＳＷが不要となる。よって、人感センサで人を検知するだけでなく、壁ＷＡ側を向いている光源のＯＮ／ＯＦＦも制御できるので、ユーザーの手間と無駄な電力消費の両方を省くことが可能になる。
＜変形例２＞
本変形例２においても変形例１と同様、２つの人感センサを用いている点で共通する。しかし、図８に示したように、本変形例２の第１の人感センサユニット２２０は、三角柱状の台座は用いていない。その代わりに、ケース２２６の一部に２つの一対のレール部２２６ａ及び２２６ｂがケース２２６と一体に形成されている。そして２つの人感センサ２２１Ａ及び２２１Ｂがそれぞれ配された２つの回路基板２２２が２つの一対のレール部２２６ａ及び２２６ｂに圧入されている。第１の人感センサ２２１Ａは、第１方向Ｄ１を向けて配され、第２の人感センサ２２１Ｂは、第２方向Ｄ２を向けて配されている。第３の人感センサ２３１Ａは、第３方向Ｄ３を向けて配され、第４の人感センサ２３１Ｂは、第４方向Ｄ４を向けて配されている。
【００４１】
本変形例２では、三角柱状の台座は用いておらず、また、２つの一対のレール部２２６ａ及び２２６ｂは、ケース２２６と一体に形成されているため、変形例１と同様の効果を得つつ、変形例１よりも部品点数の削減が可能となる。
＜変形例３＞
本変形例３においては、実施の形態１及び２と同様に１つの人感センサを用いている。しかし、図９に示したように、レンズや屈折光学ミラーは用いていない。図９（ａ）及び（ｂ）は、本変形例３に係る照明装置を、実際に階段の踊り場の壁ＷＡに取り付けた状態の１つを示している。第１の人感センサユニット３２０の第１の人感センサ３２１Ａは、床面を向いている。そして、第２の人感センサユニット３３０の第２の人感センサ３２１Ｂは、床面と反対方向を向いている。この状態を第１の姿勢と定義する。
【００４２】
本変形例３に係る照明装置を壁ＷＡに取り付けた状態としては、この第１の姿勢の他に、図１０（ａ）及び（ｂ）に示したような、第１の姿勢をランプ軸（Ｘ軸）を中心として照明装置を１８０°回転させて壁ＷＡに取り付けた状態があり得る。この状態を第２の姿勢と定義する。第２の姿勢では、第１の人感センサユニット３２０の第１の人感センサ３２１Ａは、床面と反対方向を向いている。そして、第２の人感センサユニット３３０の第２の人感センサ３２１Ｂは、床面を向いている。第１の姿勢と、第２の姿勢とは、壁ＷＡに選択的に取り付け可能である。
【００４３】
ここで、第１の人感センサユニット３２０の第１の人感センサ３２１Ａの検知視野について説明する。図９（ａ）は、第１の人感センサユニット３２０の第１の姿勢を示している。第１の人感センサ３２１Ａ自体の検知範囲は、図９（ａ）で説明すると、人感センサ３２１Ａの正面方向、即ち、−Ｚ方向を中心として、θ１とθ２を合わせた角度範囲である。
【００４４】
しかしながら、角度θ２の範囲は壁ＷＡで遮蔽されていて、この範囲からは人が検知されることはない。しかし、第１の姿勢では、第１の人感センサ３２１Ａの角度θ１の範囲は、壁ＷＡで遮蔽されずに、人を検知できる範囲である。換言すると、角度θ１の範囲は、第１の人感センサ３２１Ａの１つの検知視野である。
図１０（ａ）は、第１の人感センサユニット３２０の第２の姿勢を示している。この場合は、角度θ２の範囲は、第１の人感センサ３２１Ａのもう１つの検知視野である。従って、第１の人感センサユニット３２０は、実質的に２つの検知視野を有していると言える。
【００４５】
同様にして、第２の人感センサユニット３３０も、実質的に２つの検知視野を有していると言える。
人感センサ自体の検知角度範囲としては、１２０°程度である。よって、建物の踊り場の床面に対する上り階段と下り階段の傾斜角度が３０°程度よりも急であれば、本変形例３の人感センサユニットでも検知可能な範囲に入る。多少の感度の低下が許容される場合や、階段の角度が３０°よりも急な場合であれば、本変形例３の人感センサユニットでも十分適用可能である。本変形例３では、実施の形態１、実施の形態２、変形例１、並びに変形例２と比べて大幅に部品点数を削減することができるため、コストメリットが大きい。
＜その他の事項＞
（１）実施の形態及び変形例では、第１光源及び第２光源としてＬＥＤを用いたが、これに限定されるものではない。有機ＥＬ素子や無機ＥＬ素子でもよいし、液晶ディスプレイ等のバックライトに採用されているＣＣＦＬ（Ｃｏｌｄ  Ｃａｔｈｏｄｅ  Ｆｌｕｏｒｅｓｃｅｎｔ  Ｌａｍｐ）等であってもよい。
（２）実施の形態及び変形例では、第１光源及び第２光源の２つの光源を用いていたが、これに限定されるものではない。１つの光源でもよいし、３つ以上の光源を用いてもよい。また、光源ユニットの配線基板はあってもなくてもよい。
（３）実施の形態及び変形例では、人感センサとして焦電素子を用いた。焦電素子は、人が静止した時は検知しない。そのため、人感センサが人を検知してから一定時間（例えば数分）は点灯状態を保持する制御を行ってもよい。これにより、階段で人が静止した場合でも、突然消灯したことで、人が階段を踏み外したり、転倒したりするのを防止することができる。
（４）実施の形態及び変形例では、光源ユニットの配線基板と回路基板、並びに人感センサユニットの回路基板はすべて別体としたが、これに限定されるものではない。これら３つの基板を統一して１つの基板としてもよい。この場合、１つの基板に、光源、点灯ユニット、人感センサ等、すべてを実装できる。また、光源ユニットの筒状体と人感センサユニットを一体化して１つの筒状体としてもよい。これにより、部品点数や工程数の削減が可能となる。
（５）実施の形態及び変形例では、光源の点灯時には人の移動方向によらずに明るさが一定である例を説明したが、これに限定されるものではない。人の移動方向に応じて明るさを変えるようにしてもよい。この場合、人感センサユニットが、照明装置に対する人の移動方向を判定できるものにすればよい。このようなものとして例えばドップラセンサが挙げられる。
【００４６】
人感センサユニットは、ドップラセンサと、ドップラセンサから出力される信号電圧に基づいて人の移動方向を判定する判定回路とを備える。また、この場合、図３に示した制御回路５０Ｃは、経過時間を計時するためのタイマを備えている。図１０に、本変形例に係る照明装置の制御回路５０Ｃの動作フローチャートを示す。
まず、制御回路５０Ｃは、２つの人感センサユニットのいずれかが人を検知しているか否かを判定する（ステップＳ２１）。ステップＳ２１において、人感センサユニットが人を検知していると判定すると（ステップＳ２１：Ｙｅｓ）、制御回路５０Ｃは、人が照明装置に近づく方向に移動しているか否かを判定する（ステップＳ２２）。
【００４７】
一方、ステップＳ２１において、人感センサユニットが人を検知していないと判定すると（ステップＳ２１：Ｎｏ）、制御回路５０Ｃは、後述のステップＳ２５の処理を行う。
ステップＳ２２において、２つの人感センサユニットのいずれか一方が、照明装置に近づく方向に人が移動していると判定したとする（ステップＳ２２：Ｙｅｓ）。この場合、制御回路５０Ｃは、光源ユニットを調光点灯（第１照度で点灯）させる（ステップＳ２３）。この際、制御回路５０Ｃは、タイマを一度リセットした後にオンさせる。
【００４８】
一方、ステップＳ２２において、２つの人感センサユニットの両方が、人が照明装置に近づく方向に移動していない、即ち、照明装置から遠ざかる方向に移動していると判定したとする（ステップＳ２２：Ｎｏ）。この場合、制御回路５０Ｃは、光源ユニットを定格点灯（第１照度よりも高い第２照度で点灯）させる（ステップＳ２４）。この際、制御回路５０Ｃは、タイマを一度リセットした後にオンさせる。
【００４９】
その後、制御回路５０Ｃは、タイマがタイムアップしたか否かを判定する（ステップＳ２５）。ステップＳ２５において、タイマがタイムアップした場合（ステップＳ２５：Ｙｅｓ）、制御回路５０Ｃは、光源ユニットを消灯させる（ステップＳ２６）。一方、ステップ２５において、タイマがタイムアップしていない場合（ステップＳ２５：Ｎｏ）、制御回路５０Ｃは、ステップ２１の処理に戻る。
【００５０】
ところで、第１階段ＳＴ１、第２階段ＳＴ２及び踊り場ＬＡを通る人のうち、照明装置に向かって移動している人には、照明装置から出射される光が直接、目に入るのでグレアが生じ易い。従って、照明装置に向かって移動している人がいる場合には、照明装置の光量は少ない方がよい。反対に、照明装置を背にして照明装置から離れる方向に移動している人には、照明装置から出射される光が直接、目に入らないのでグレアが生じ難い。
【００５１】
本変形例に係る照明装置では、制御回路５０Ｃが以上の一連の処理を行うことにより、人が照明装置に向かって移動しているのを人感センサユニットが検知すると、照明装置を調光点灯させる。一方、人が照明装置から遠ざかる方向に移動しているのを人感センサユニットが検知すると、照明装置を定格点灯させる。これにより、第１階段ＳＴ１、第２階段ＳＴ２及び踊り場ＬＡを通る人に対するグレアの発生を抑制することができる。
（６）実施の形態及び変形例では、人感センサとして、赤外線センサを用いたが、これに限定されるものではない。可視光線を検知して、ＣＣＤカメラでパターンマッチングする方式でもよいし、超音波センサ等でもよい。
（７）実施の形態及び変形例では、主に階段の踊り場に設置する場合について説明したが、これに限定されるものではない。バリアフリーの建物における上りスロープと下りスロープの間の踊り場に設置してもよい。
（８）本発明に係る照明装置は、上記実施の形態およびその変形例の部分的な構成を、適宜組み合わせてなる構成であってもよい。また、上記実施の形態に記載した材料、数値等は好ましいものを例示しているだけであり、それに限定されることはない。さらに、本発明の技術的思想の範囲を逸脱しない範囲で、構成に適宜変更を加えることは可能である。本発明は、照明用途全般に広く利用可能である。
【符号の説明】
【００５２】
１、１０１、２０１      照明装置
１０、１１０、２１０    光源ユニット
１１ａ、１１１ａ        第１光源
１１ｂ、１１１ｂ        第２光源
２０、１２０、２２０、３２０        第１の人感センサユニット
２１Ａ、１２１Ａ、２２１Ａ、３２１Ａ        第１の人感センサ
２１Ｂ、１２１Ｂ、２２１Ｂ、３２１Ｂ        第２の人感センサ
１３１Ａ、２３１Ａ      第３の人感センサ
１３１Ｂ、２３１Ｂ      第４の人感センサ
２４                    屈折光学ミラー
２５ａ、２５ｂ          レンズ
３０、１３０、２３０、３３０        第２の人感センサユニット
Ｄ１                    第１検出視野の中心線
Ｄ２                    第２検出視野の中心線
Ｄ３                    第３検出視野の中心線
Ｄ４                    第４検出視野の中心線
θ１                    第１検出視野
θ２                    第２検出視野
θ３                    第３検出視野
θ４                    第４検出視野
【図１】
2015018760.tif 000003
【図２】
2015018760.tif 000004
【図３】
2015018760.tif 000005
【図４】
2015018760.tif 000006
【図５】
2015018760.tif 000007
【図６】
2015018760.tif 000008
【図７】
2015018760.tif 000009
【図８】
2015018760.tif 000010
【図９】
2015018760.tif 000011
【図１０】
2015018760.tif 000012
【図１１】
2015018760.tif 000013